(57)【特許請求の範囲】
【請求項１】
カラオケサービスに関する画像の表示に利用されるメインディスプレイとは別のサブディスプレイに、カラオケサービスを利用中のユーザに対する広告映像を表示する広告表示装置であって、
カラオケサービスを利用中の複数のユーザと、それらのユーザの属性とを特定するユーザ特定手段と、
前記ユーザ特定手段により特定されたユーザの中で、カラオケサービスにおいて現在再生中の曲を歌唱している歌唱ユーザを特定する歌唱者特定手段と、
前記ユーザ特定手段により特定されたユーザの中で、前記歌唱者特定手段により特定された歌唱ユーザではない他のユーザの属性に適合する広告映像を、所定の複数の広告映像の中から表示対象に決定する決定手段と、
前記決定手段により表示対象に決定された広告映像を前記サブディスプレイに表示させる表示制御手段と、
を備えることを特徴とする広告表示装置。
【請求項２】
請求項１に記載の広告表示装置において、
再生を予約された予約曲を識別する情報と、その予約曲を予約したユーザとして関連付けられた予約ユーザを識別する情報と、予約曲の再生順を示す情報とを含む予約リストを取得するリスト取得手段を備え、
前記決定手段は、前記リスト取得手段により取得された予約リストに基づき、前記歌唱ユーザではないユーザであって、現在再生中の曲の次に再生される予定の曲に対応する予約ユーザの属性に適合する広告映像を表示対象に決定すること
を特徴とする広告表示装置。
【請求項３】
請求項１又は請求項２に記載の広告表示装置において、
再生を予約された予約曲を識別する情報と、その予約曲を予約したユーザとして関連付けられた予約ユーザを識別する情報と、予約曲の再生順を示す情報とを含む予約リストを取得するリスト取得手段を備え、
前記決定手段は、前記リスト取得手段により取得された予約リストに基づき、前記歌唱ユーザではないユーザであって、現在再生中の曲の直前に再生が済んでいる曲に対応する予約ユーザの属性に適合する広告映像を表示対象に決定すること
を特徴とする広告表示装置。
【請求項４】
請求項１ないし請求項３の何れか１項に記載の広告表示装置において、
前記表示制御手段は、所定の複数の広告映像を規定の表示順に従って順次表示し、その過程において前記決定手段により表示対象となる広告映像が決定された場合、前記決定手段により決定された広告映像を、前記規定の表示順に割込ませて表示させること
を特徴とする広告表示装置。
【請求項５】
請求項４に記載の広告表示装置において、
前記表示制御手段が、前記決定手段により決定された広告映像を前記規定の表示順に割込ませて表示させるタイミングは、従前に表示させていた広告映像の表示期間が完了した後であること
を特徴とする広告表示装置。
【請求項６】
請求項１ないし請求項５の何れか１項に記載の広告表示装置において、
前記ユーザ特定手段により特定されたユーザの中で、カラオケ機器を操作中である操作ユーザを特定する操作者特定手段を備え、
前記決定手段は、前記歌唱者特定手段により特定された歌唱ユーザではなく、かつ、前記操作者特定手段により特定された操作ユーザではない他のユーザの属性に適合する広告映像を表示対象に決定すること
を特徴とする広告表示装置。
【請求項７】
カラオケサービスを利用中の複数のユーザと、それらのユーザの属性とを特定するユーザ特定ステップと、
前記ユーザ特定ステップにおいて特定されたユーザの中で、カラオケサービスにおいて現在再生中の曲を歌唱している歌唱ユーザを特定する歌唱者特定ステップと、
前記ユーザ特定ステップにおいて特定されたユーザの中で、前記歌唱者特定ステップにおいて特定された歌唱ユーザではない他のユーザの属性に適合する広告映像を、所定の複数の広告映像の中から表示対象に決定する決定ステップと、
前記決定ステップにおいて表示対象に決定された広告映像を、カラオケサービスに関する画像の表示に利用されるメインディスプレイとは別のサブディスプレイに表示させる表示制御ステップと、
をコンピュータに実行させることを特徴とするプログラム。
【請求項８】
カラオケサービスを利用中の複数のユーザと、それらのユーザの属性とを広告表示装置が特定するユーザ特定手順と、
前記ユーザ特定手順において特定されたユーザの中で、カラオケサービスにおいて現在再生中の曲を歌唱している歌唱ユーザを前記広告表示装置が特定する歌唱者特定手順と、
前記ユーザ特定手順において特定されたユーザの中で、前記歌唱者特定手順において特定された歌唱ユーザではない他のユーザの属性に適合する広告映像を、所定の複数の広告映像の中から表示対象に、前記広告表示装置が決定する決定手順と、
前記決定手順において表示対象に決定された広告映像を、カラオケサービスに関する画像の表示に利用されるメインディスプレイとは別のサブディスプレイに、前記広告表示装置が表示させる表示制御手順と、
を有することを特徴とする広告表示方法。
【発明の詳細な説明】
【技術分野】
【０００１】
本発明は、カラオケサービスのユーザに対して広告映像を表示する広告表示装置に関する。
【背景技術】
【０００２】
従来、カラオケ施設に設けられた設備を利用して、カラオケサービスのユーザに対して広告映像を表示することで、ユーザに商品やサービスの購買を促すことが行われている。
この種の広告表示機能を備えたカラオケシステムとして、例えば、特許文献１に記載のものがある。このカラオケシステムでは、ユーザの識別情報（ＩＤ）に関連付けて選択された楽曲の再生中に、当該ユーザの所定の属性情報に適合する広告映像が、再生中の楽曲の背景映像として表示される。
【先行技術文献】
【特許文献】
【０００３】
【特許文献１】特開２００７−２０６２７４号公報
【発明の概要】
【発明が解決しようとする課題】
【０００４】
しかしながら、ユーザがカラオケを歌唱している最中に、その歌唱中ユーザに適した広告映像をモニタに表示しても、歌唱中ユーザは歌うことに夢中で広告映像に注目してはいない。そのため、期待されているほどの広告効果が得られないという問題があった。また、選曲用のリモコン端末を操作している最中のユーザにおいては、選曲操作に集中しているため、たとえその操作中ユーザに適した広告映像を表示したとしても、高い広告効果は期待できない。
【０００５】
本発明は、上記問題を解決するためになされたものである。その目的は、カラオケサービスのユーザによる広告映像の閲覧機会を向上させて、広告効果を高めるための技術を提供することである。
【課題を解決するための手段】
【０００６】
上記目的を達成するためになされた本発明は、カラオケサービスに関する画像の表示に利用されるメインディスプレイとは別のサブディスプレイに、カラオケサービスを利用中のユーザに対する広告映像を表示する広告表示装置に関する。本発明の広告表示装置は、ユーザ特定手段と、歌唱者特定手段と、決定手段と、表示制御手段とを備える。
【０００７】
ユーザ特定手段は、カラオケサービスを利用中の複数のユーザと、それらのユーザの属性とを特定する。歌唱者特定手段は、ユーザ特定手段により特定されたユーザの中で、カラオケサービスにおいて現在再生中の曲を歌唱している歌唱ユーザを特定する。そして、決定手段は、ユーザ特定手段により特定されたユーザの中で、歌唱者特定手段により特定された歌唱ユーザではない他のユーザの属性に適合する広告映像を、所定の複数の広告映像の中から表示対象に決定する。表示制御手段は、決定手段により表示対象に決定された広告映像をサブディスプレイに表示させる。
【０００８】
本発明によれば、カラオケサービスを利用中のユーザの中で、歌唱をしておらず暇を持つユーザの属性に適合した広告映像を表示させることができる。このようにすることで、暇を持つユーザが、自身に合う広告映像を関心を持って閲覧する機会が増加し、高い広告効果を得られる。
【０００９】
さらに、歌唱中でないユーザのうち、カラオケルーム内で席を離れていないと推定されるユーザを特定し、そのユーザに合った広告映像を表示することができれば、広告効果をより高めることができると考えられる。
【００１０】
そこで、請求項２に記載のように構成するとよい。すなわち、広告表示装置は、再生を予約された予約曲を識別する情報と、その予約曲を予約したユーザとして関連付けられた予約ユーザを識別する情報と、予約曲の再生順を示す情報とを含む予約リストを取得するリスト取得手段を更に備える。そして、決定手段は、リスト取得手段により取得された予約リストに基づき、歌唱ユーザではないユーザであって、現在再生中の曲の次に再生される予定の曲に対応する予約ユーザの属性に適合する広告映像を表示対象に決定する。
【００１１】
次に歌唱する順番が回ってくるユーザは、現在再生している曲が終了するのに備えて、席を立たずに待っている可能性が高いと考えられる。そこで、このタイミングで次に歌唱するユーザに合った広告映像を表示することで、歌唱の順番待ちをしながら暇を持つユーザが、自身に合う広告映像を関心を持って閲覧する機会が増加するものと期待される。
【００１２】
あるいは、請求項３に記載のように構成してもよい。すなわち、広告表示装置は、再生を予約された予約曲を識別する情報と、その予約曲を予約したユーザとして関連付けられた予約ユーザを識別する情報と、予約曲の再生順を示す情報とを含む予約リストを取得するリスト取得手段を更に備える。そして、決定手段は、リスト取得手段により取得された予約リストに基づき、歌唱ユーザではないユーザであって、現在再生中の曲の直前に再生が済んでいる曲に対応する予約ユーザの属性に適合する広告映像を表示対象に決定する。
【００１３】
自身の歌唱を終えて間もないユーザは、そのままカラオケルーム内にいる可能性が高いと考えられる。そこで、このタイミングで歌唱を終えたばかりのユーザに合った広告映像を表示することで、歌唱を終えて暇を持つユーザが、自身に合う広告映像を関心を持って閲覧する機会が増加するものと期待される。
【００１４】
つぎに、請求項４に記載の広告表示装置は、以下の特徴を有する。すなわち、表示制御手段は、所定の複数の広告映像を規定の表示順に従って順次表示し、その過程において決定手段により表示対象となる広告映像が決定された場合、決定手段により決定された広告映像を、規定の表示順に割込ませて表示させる。このような構成によれば、規定の表示順に従って広告映像を表示することで、広告映像を表示できる機会を無駄なく活用できる。それに加え、暇を持つユーザに適合する広告映像を提示できるタイミングには、優先して表示すべき広告映像を随時割込で表示させることで、広告効果が一層高まる。
【００１５】
なお、決定手段により決定された広告映像を前記規定の表示順に割込ませて表示させる場合、割込み表示させる広告映像は、従前に表示させていた広告映像の表示期間が完了した後にするように構成するとよい（請求項５）。このようにすることで、割込み表示の際に従前に表示されていた広告映像が中断されることがなく、好適である。
【００１６】
ところで、歌唱をしていないユーザであっても、自身が歌う曲を選ぶためにカラオケ機器（例えば、リモコン端末）を操作している最中である場合、そのユーザが広告映像を閲覧する機会は少ないと考えられる。
【００１７】
そこで、請求項６に記載のように構成するとよい。すなわち、広告表示装置は、ユーザ特定手段により特定されたユーザの中で、カラオケ機器を操作中である操作ユーザを特定する操作者特定手段を更に備える。そして、決定手段は、歌唱者特定手段により特定された歌唱ユーザではなく、かつ、操作者特定手段により特定された操作ユーザではない他のユーザの属性に適合する広告映像を表示対象に決定する。
【００１８】
このように、単に歌唱をしていないだけでなく、カラオケ機器を操作中のユーザも広告映像の選定基準から除外することで、広告映像を閲覧してくれる確実性のより高いユーザに適合する広告映像を表示させることができる。これにより、広告効果をさらに向上させることができる。
【００１９】
なお、本発明は、請求項７に記載のように、コンピュータにおいて実行されるプログラム、あるいは当該プログラムを記憶する記憶媒体の態様で実現することもできる。また、本発明は、請求項８に記載の広告表示方法としても実現することもできる。
【図面の簡単な説明】
【００２０】
【図１】カラオケシステムの概略構成を示すブロック図。
【図２】広告コンテンツと属性情報との紐付情報の一例を示す説明図。
【図３】広告表示装置のメイン処理の手順を示すフローチャート。
【図４】ログイン時の広告表示処理の手順を示すフローチャート。
【図５】カラオケ装置が実行する処理の手順を示すフローチャート。
【図６】リモコン端末が実行する処理の手順を示すフローチャート。
【図７】予約曲リスト及びユーザリストの一例を示す説明図。
【図８】更新後の予約曲リスト及びユーザリストの一例を示す説明図。
【図９】更新後の予約曲リストの一例を示す説明図。
【発明を実施するための形態】
【００２１】
以下、本発明の一実施形態を図面に基づいて説明する。なお、本発明は下記の実施形態に何ら限定されるものではなく様々な態様にて実施することが可能である。
［カラオケシステムの構成の説明］
実施形態のカラオケシステムは、図１に示すように、カラオケ店舗に配置された広告表示装置１、カラオケ装置２、及び、リモコン端末３と、広域ネットワークに接続されたセンタサーバ４とを含んで構成される。なお、図１では、カラオケ店舗内に複数設けられたカラオケルームのうちの１室を例に挙げたものである。
【００２２】
広告表示装置１及びカラオケ装置２は、カラオケ店舗内のＬＡＮに設けられたブロードバンドルータＢＲを中継して広域ネットワークに接続する。また、リモコン端末３は、無線ＬＡＮのインフラストラクチャモードにより無線ＬＡＮアクセスポイントＡＰを中継して、カラオケ店舗内のＬＡＮにネットワーク接続し、更にブロードバンドルータＢＲを中継して広域ネットワークに接続する。
【００２３】
カラオケ店舗内のカラオケルームには、カラオケ装置２、リモコン端末３、メインディスプレイ２１、サブディスプレイ１５が設置されている。メインディスプレイ２１は、カラオケ装置２に接続されている。メインディスプレイ２１には、カラオケ装置２から出力されるカラオケサービス用の映像が表示される。一方、サブディスプレイ１５は、広告表示装置１に接続されている。サブディスプレイ１５には、カラオケルーム内でカラオケサービスを利用する利用客（ユーザ）に向けた広告コンテンツの映像が表示される。
【００２４】
広告表示装置１は、センタサーバ４から配信された広告コンテンツの映像を再生する業務用の装置である。広告表示装置１は、ハードウェア構成として制御部１０、記憶部１１、ＬＡＮインタフェース部１２、ビデオＲＡＭ１３、映像制御部１４等を備える。広告表示装置１は、装置全体の制御を司る制御部１０を中心に構成されている。制御部１０は、ＣＰＵ、ＲＯＭ、ＲＡＭ、Ｉ／Ｏ等を中心に構成された情報処理デバイスであり、ＲＯＭや記憶部１１から読込んだプログラムやデータに基づいて種々の処理を実行する。
【００２５】
記憶部１１は、ハードディスクドライブや不揮発性半導体メモリ等で構成された記憶装置である。記憶部１１には、その一部としてプログラム記憶領域、広告コンテンツ記憶領域、属性情報記憶領域、ユーザリスト記憶領域、表示済広告記憶領域、予約曲リスト記憶領域が設けられている。ＬＡＮインタフェース部１２は、カラオケ店舗内のＬＡＮに接続して、カラオケ装置２やセンタサーバ４と通信を行うための通信インタフェースである。
【００２６】
ビデオＲＡＭ１３は、映像情報を一時的に保存するメモリである。このビデオＲＡＭ１３は、映像制御部１４に接続されている。映像制御部１４は、ビデオＲＡＭ１３の映像情報や制御部１０から送信されてくる広告コンテンツの映像データに基づいて映像の再生を行う。映像制御部１４には、サブディスプレイ１５が接続されている。サブディスプレイ１５は、例えば液晶パネルディスプレイ（ＬＣＤ）として具現化される。映像制御部１４によって再生された映像はサブディスプレイ１５に表示される。
【００２７】
カラオケ装置２は、ネットワークを通じて配信されたカラオケ曲に基づくカラオケ演奏を行い、ユーザにカラオケサービスを提供する業務用の装置である。カラオケ装置２は、店舗内ＬＡＮや広域ネットワークを介して、広告表示装置１やリモコン端末３、センタサーバ４との間でデータ通信可能に構成されている。また、カラオケ装置２には、メインディスプレイ２１が接続されている。カラオケ装置２は、ユーザからリクエストされた曲の伴奏音楽を演奏するのに併せて、背景映像や曲の歌詞テロップをメインディスプレイ２１に表示させる。また、カラオケ装置２は、本システムのアカウントを有するユーザが所定の手続きを経てログインすることにより、演奏する曲のリクエスト（予約）や演奏を、個々のログインユーザの識別情報に対応付けて行う。なお、カラオケ装置２のその他の機能や構成については公知技術に従っているので、ここでの詳細な説明は省略する。
【００２８】
リモコン端末３は、カラオケルーム内でカラオケ装置２を遠隔操作するための通信端末装置である。リモコン端末３は、本システムのアカウントを有するユーザからの所定のログイン操作を受付ける。ユーザのログインが成立すると、リモコン端末３は、ログインユーザが再生を希望する曲の予約を行うための操作を、当該ログインユーザの識別情報に対応付けて受付ける。そして、予約曲の情報及び予約したユーザの識別情報を無線ＬＡＮ通信や赤外線通信によって操作対象のカラオケ装置２に送信する。
【００２９】
センタサーバ４は、カラオケ店舗内の広告表示装置１に広告コンテンツのデータを配信するサービスを含む、各種カラオケサービスを提供するサーバ装置である。このセンタサーバ４は、適宜な処理能力を有する情報処理装置等で構成されており、広告表示装置１に提供可能な広告コンテンツをデータベースに多数保有している。広告コンテンツは、カラオケサービスの利用客に対して様々な商品やサービスを宣伝するための映像情報である。この広告コンテンツは、宣伝のターゲットとなる人の性別や年齢層といった属性別に分類されている。そのため、センタサーバ４には、図２に示すように、保有する個々の広告コンテンツごとに、ターゲットとなるユーザの属性を示す情報が紐付された紐付情報が記憶されている。図２に示す事例では、広告コンテンツに紐付けされる属性情報として、ユーザの年齢層や性別が記録されている。
【００３０】
また、センタサーバ４は、広告コンテンツのデータを格納するデータベースの他に、本システムのアカウントを有する個々のユーザごとに、ユーザの識別情報や、ログイン認証のための情報、年齢や性別といったユーザの属性を示す情報等をデータベースに保存している。なお、ユーザの属性を示す情報は、年齢や性別以外にも、ユーザの興味の対象や趣味嗜好等を示す情報であってもよい。上述の広告コンテンツに紐付けされる属性情報についても同様である。
【００３１】
［広告表示装置のメイン処理の説明］
広告表示装置１の制御部１０が実行するメイン処理の手順について、図３のフローチャートを参照しながら説明する。この処理は、広告表示装置１の電源がオンの間、広告コンテンツの表示が１つ完了する度に繰返し実行される。
【００３２】
Ｓ１００では、制御部１０は、センタサーバ４から最新の広告再生順リストを取得する。広告再生順リストは、センタサーバ４から広告表示装置１に配信可能な最新の広告コンテンツの一覧と、それらの広告コンテンツの規定の再生順序とを示すリストである。センタサーバ４は、広告表示装置１からの広告再生順リストの取得要求に応じて、保有している広告再生順リストを要求元の広告表示装置１に返信する。
【００３３】
Ｓ１０２では、制御部１０は、センタサーバ４から取得した広告再生順リストで示される広告コンテンツの一覧と、自広告表示装置１が現在保有している広告コンテンツとを比較し、広告コンテンツの更新があるか否かを判定する。広告コンテンツの更新がある場合（Ｓ１０２：ＹＥＳ）、すなわち、広告再生順リストで示される広告コンテンツの一覧と、自広告表示装置１が現在保有している広告コンテンツとが一致しない場合、制御部１０はＳ１０４に進む。一方、広告コンテンツの更新がない場合（Ｓ１０２：ＮＯ）、すなわち、広告再生順リストで示される広告コンテンツの一覧と、自広告表示装置１が現在保有している広告コンテンツとが一致する場合、制御部１０はＳ１０８に進む。
【００３４】
広告コンテンツの更新がある場合に進むＳ１０４では、制御部１０は、センタサーバ４から最新の広告コンテンツのデータを取得し、記憶部１１の広告コンテンツ記憶領域に格納する。センタサーバ４は、広告表示装置１からの広告コンテンツの取得要求に応じて、保有している最新の広告コンテンツのデータを要求元の広告表示装置１に配信する。次のＳ１０６では、制御部１０は、Ｓ１０４で取得した最新の広告コンテンツと属性情報との紐付情報のファイルをセンタサーバ４から取得し、記憶部１１の属性情報記憶領域に格納する。センタサーバ４は、広告表示装置１からの属性情報の取得要求に応じて、最新の広告コンテンツと属性情報との紐付情報のファイルを要求元の広告表示装置１に配信する。紐付情報の取得後、制御部１０はＳ１１４に進む。
【００３５】
一方、広告コンテンツの更新がない場合に進むＳ１０８では、制御部１０は、カラオケ装置２においてログイン中のユーザの有無を判定する。ここでは、制御部１０が、ログイン中のユーザの存否状況をカラオケ装置２に対して問合せる。現在ログイン中のユーザが存在する場合（Ｓ１０８：ＹＥＳ）、Ｓ１１０に進む。Ｓ１１０では、制御部１０は、ログイン時の広告表示処理を実行する。ログイン時の広告表示処理の詳細な手順については、後述する。一方、現在ログイン中のユーザが存在しない場合（Ｓ１０８：ＮＯ）、Ｓ１１２に進む。Ｓ１１２では、制御部１０は、広告再生順リストで示される規定の再生順序に従って、１つの広告コンテンツを再生し、その映像をサブディスプレイ１５に表示させる。Ｓ１１０又はＳ１１２の実行後、制御部１０はＳ１１４に進む。
【００３６】
Ｓ１１４では、制御部１０は、広告表示装置１の電源がオフにされたか否かを判定する。電源がオフにされていない場合（Ｓ１１４：ＮＯ）、制御部１０はＳ１００に戻る。一方、電源がオフにされた場合（Ｓ１１４：ＹＥＳ）、制御部１０は本処理を終了する。
【００３７】
［ログイン時の広告表示処理の説明］
広告表示装置１の制御部１０が実行するログイン時の広告表示処理の手順について、図４のフローチャートを参照しながら説明する。この処理は、広告表示装置１のメイン処理（図３）のＳ１１０において実行される。
【００３８】
Ｓ２００では、制御部１０は、カラオケ装置２からユーザリスト及び予約曲リストを取得する。制御部１０は、取得したリストを記憶部１１のユーザリスト記憶領域及び予約曲リスト記憶領域にそれぞれ格納する。ユーザリストは、カラオケ装置２において現在ログイン中のユーザに関する情報の一覧である。このユーザリストには、図７（ｂ）に示すように、個々のログインユーザについて、ユーザ名、ユーザの属性（年齢、性別）、操作ユーザフラグ等の情報が記述されている。なお、ユーザ名は、ログインユーザの識別情報である。操作ユーザフラグは、当該ユーザが現在リモコン端末３を操作中であることを示す情報である。なお、カラオケ装置２は、リモコン端末３から操作ユーザの通知を受けることで、リモコン端末３を操作中のユーザを特定し、ユーザリストに操作ユーザフラグを記録する。また、リモコン端末３は、自端末においてアクティブユーザに設定されているユーザを、操作ユーザとしてカラオケ装置２に通知する。なお、アクティブユーザについては、後述する。
【００３９】
また、予約曲リストは、カラオケ装置２において再生の予約が行われた曲に関する情報の一覧である。この予約曲リストには、図７（ａ）に示すように、個々の予約曲について、予約順、曲番号、予約ユーザ、再生中フラグ等の情報が記述されている。なお、予約順は、その曲が予約された順番を示す。カラオケ装置２では、この予約順が早い曲から順に再生される。曲番号は、曲の識別情報である。予約ユーザは、その曲の再生をリクエストしたユーザの識別情報である。なお、予約ユーザ名が「ゲスト」の場合、ログインをしていないユーザによる予約であることを示している。再生中フラグは、カラオケ装置２において現在再生中の曲であることを示す情報である。
【００４０】
図４のフローチャートの説明に戻る。Ｓ２０２では、制御部１０は、カラオケ装置２において現時点でカラオケの曲が再生されている最中であるか否かを判定する。ここでは、カラオケ装置２から取得した予約曲リストにおける再生中フラグの有無に基づいて、カラオケの曲が再生されている最中であるか否かを判定する。カラオケ再生中の場合（Ｓ２０２：ＹＥＳ）、制御部１０はＳ２０４に進む。Ｓ２０４では、制御部１０は、予約曲リストにおいて再生中フラグが付された曲に関する情報から、再生中の曲の予約ユーザを特定する。一方、カラオケ再生中ではない場合（Ｓ２０２：ＮＯ）、制御部１０はＳ２０６に進む。
【００４１】
次のＳ２０６では、制御部１０は、ユーザリストにおける操作ユーザフラグの情報から、何れかのログインユーザがリモコン端末３を操作中であるか否かを判定する。リモコン端末３を操作中である場合（Ｓ２０６：ＹＥＳ）、制御部１０はＳ２０８に進む。Ｓ２０８では、制御部１０は、ユーザリストにおいて操作ユーザフラグが付されたユーザに関する情報から、操作ユーザを特定する。一方、何れのログインユーザもリモコン端末３を操作していない場合（Ｓ２０６：ＮＯ）、制御部１０はＳ２１０に進む。
【００４２】
次のＳ２１０では、制御部１０は、ユーザリストに載っているユーザのうち、予約ユーザ及び操作ユーザ以外の残りのユーザに対応する属性情報に適合する広告コンテンツを、自広告表示装置１が保有している広告コンテンツの中から検索する。ここでは、残りのユーザの属性情報と、保有している広告コンテンツに紐付けされた属性情報とが一致する場合、適合すると判断する。Ｓ２１２では、制御部１０は、残りのユーザの属性情報に適合する広告コンテンツが存在するか否かを判定する。適合する広告コンテンツが存在する場合（Ｓ２１２：ＹＥＳ）、制御部１０はＳ２１４に進む。一方、適合する広告コンテンツが存在しない場合（Ｓ２１２：ＮＯ）、制御部１０はＳ２１６に進む。
【００４３】
残りのユーザの属性情報に適合する広告コンテンツが存在する場合に進むＳ２１４では、制御部１０は、Ｓ２１０で検索された広告コンテンツのうち、表示済広告記憶領域に表示済みと記録されている広告コンテンツを除外する。そして、Ｓ２１８では、制御部１０は、Ｓ２１４で残った広告コンテンツのうち、予約曲リストにおいて、現在の再生曲の次の再生順の曲（以下、次曲）の予約ユーザに対応する属性情報に適合する広告コンテンツが存在するか否かを判定する。次曲の予約ユーザの属性情報に適合する広告コンテンツが存在する場合（Ｓ２１８：ＹＥＳ）、制御部１０はＳ２２０に進む。Ｓ２２０では、制御部１０は、次曲の予約ユーザの属性情報に適合する広告コンテンツを１つ選択して、それを優先広告に決定する。
【００４４】
一方、次曲の予約ユーザの属性情報に適合する広告コンテンツが存在しない場合（Ｓ２１８：ＮＯ）、制御部１０はＳ２２２に進む。Ｓ２２２では、制御部１０は、Ｓ２１４で残った広告コンテンツのうち、現在の再生曲の直前に再生済みの曲（以下、前曲）の予約ユーザに対応する属性情報に適合する広告コンテンツが存在するか否かを判定する。前曲の予約ユーザの属性情報に適合する広告コンテンツが存在する場合（Ｓ２２２：ＹＥＳ）、制御部１０はＳ２２４に進む。Ｓ２２４では、制御部１０は、前曲の予約ユーザの属性情報に適合する広告コンテンツを１つ選択して、それを優先広告に決定する。
【００４５】
一方、前曲の予約ユーザの属性情報に適合する広告コンテンツが存在しない場合（Ｓ２２２：ＮＯ）、制御部１０はＳ２２６に進む。Ｓ２２６では、制御部１０は、Ｓ２１４で残った全ての広告コンテンツを優先広告に決定する。
【００４６】
Ｓ２２０，Ｓ２２４，Ｓ２２６の何れかにおいて優先広告を決定した後、Ｓ２２８では、制御部１０は、決定した優先広告の１つを再生し、その映像をサブディスプレイ１５に表示させる。１つの広告映像の表示が完了した後、制御部１０はＳ２３０に進み、その表示した広告コンテンツを表示済みとして表示済広告記憶領域に記録する。次のＳ２３２では、制御部１０は、Ｓ２１０での検索に該当した全ての広告コンテンツが、表示済広告記憶領域において表示済みとして記録されたか否かを判定する。該当の広告コンテンツが全て表示済みである場合（Ｓ２３２：ＹＥＳ）、制御部１０は、Ｓ２３４に進む。Ｓ２３４では、制御部１０は、表示済広告記憶領域における表示済みの記録を全てクリアし、本処理を終了する。一方、該当の広告コンテンツのうち表示済みでないものがある場合（Ｓ２３２：ＮＯ）、制御部１０は本処理を終了する。
【００４７】
一方、Ｓ２１２で残りのユーザの属性情報に適合する広告コンテンツが存在しないと判定した場合に進むＳ２１６では、制御部１０は、広告再生順リストで規定された再生順序に従って、１つの広告コンテンツを再生する。１つの広告コンテンツの再生が完了した後、制御部１０は本処理を終了する。
【００４８】
［カラオケ装置が実行する処理の説明］
カラオケ装置２が実行する処理の手順について、図５のフローチャートを参照しながら説明する。この処理は、カラオケ装置２の電源がオンの間に繰返し実行される。
【００４９】
Ｓ３００では、カラオケ装置２は、発生するイベントの状況に応じて処理を分岐する。Ｓ３００において、リモコン端末３からログイン要求を受信した場合（Ｓ３００：ログイン要求）、カラオケ装置２はＳ３０２に進む。Ｓ３０２では、カラオケ装置２は、当該ユーザに関するログイン要求をセンタサーバ４に送信する。ここでは、カラオケ装置２は、リモコン端末３から受信した情報に基づき、ログインを要求するユーザの識別情報と、ログイン認証用の情報（パスワード等）とを、ログイン要求と併せてセンタサーバ４に送信する。これに対して、センタサーバ４は、カラオケ装置２から受信したユーザの識別情報及びログイン認証用の情報を、データベースに蓄積されている登録ユーザのアカウント情報と照合する。照合の結果、ログインが成立すると判断すると、センタサーバ４は、データベースに蓄積されている当該ユーザの属性情報を、要求元のカラオケ装置２に対して返信する。
【００５０】
次のＳ３０４では、カラオケ装置２は、ログイン要求への応答としてセンタサーバ４から送信されたユーザの属性情報を取得する。そして、Ｓ３０６では、当該ログインユーザのユーザ名、及び属性情報を、ユーザリスト記憶領域に格納されているユーザリスト（図７（ｂ）参照）に記録する。
【００５１】
一方、Ｓ３００において、リモコン端末３からカラオケ曲の予約要求を受信した場合（Ｓ３００：予約要求）、カラオケ装置２はＳ３０８に進む。Ｓ３０８では、カラオケ装置２は、リモコン端末３から受信した予約情報で示される予約曲の曲番号及び予約ユーザ名を、予約曲リスト記憶領域に格納されている予約曲リスト（図７（ａ）参照）に予約順と共に記録する。また、Ｓ３００において、新たにカラオケ曲の再生が始まった場合（Ｓ３００：再生中）、カラオケ装置２はＳ３１０に進む。Ｓ３１０では、カラオケ装置２は、現在再生中であることを示す再生中フラグを、予約曲リストにおける該当の曲に記録する。また、Ｓ３００において、リモコン端末３から操作ユーザの登録通知を受信した場合（Ｓ３００：操作ユーザ登録）、カラオケ装置２はＳ３１２に進む。Ｓ３１２では、カラオケ装置２は、リモコン端末３から操作ユーザとして通知されたユーザについて、ユーザリスト中に操作ユーザフラグを記録する。
【００５２】
また、Ｓ３００において、リモコン端末３から操作ユーザの解除通知を受信した場合（Ｓ３００：操作ユーザ解除）、カラオケ装置２はＳ３１４に進む。Ｓ３１４では、カラオケ装置２は、リモコン端末３から通知されたユーザについて、ユーザリストに付された操作ユーザフラグをクリアする。また、Ｓ３００において、広告表示装置１からユーザリストの取得要求を受信した場合（Ｓ３００：ユーザリスト要求）、カラオケ装置２はＳ３１６に進む。Ｓ３１６では、カラオケ装置２は、ユーザリスト記憶領域に格納されているユーザリストを、要求元の広告表示装置１に送信する。また、Ｓ３００において、広告表示装置１から予約曲リストの取得要求を受信した場合（Ｓ３００：予約曲リスト要求）、カラオケ装置２はＳ３１８に進む。Ｓ３１８では、カラオケ装置２は、予約曲リスト記憶領域に格納されている予約曲リストを、要求元の広告表示装置１に送信する。
【００５３】
次のＳ３２０では、カラオケ装置２の電源がオフにされたか否かを判定する。電源がオフにされていない場合（Ｓ３２０：ＮＯ）、カラオケ装置２はＳ３００に戻る。一方、電源がオフにされた場合（Ｓ３２０：ＹＥＳ）、カラオケ装置２は本処理を終了する。
【００５４】
［リモコン端末が実行する処理の説明］
リモコン端末３が実行する処理の手順について、図６のフローチャートを参照しながら説明する。この処理は、リモコン端末３の電源がオンの間に繰返し実行される。
【００５５】
Ｓ４００では、リモコン端末３は、発生するイベントの状況に応じて処理を分岐する。Ｓ４００において、リモコン端末３を操作中のユーザから所定のログイン操作を受付けた場合（Ｓ４００：ログイン要求）、リモコン端末３は、Ｓ４０２に進む。ここでの所定のログイン操作とは、システムにログインしようとするユーザが、リモコン端末３のログイン機能を選択して、ユーザ名及びログイン認証用の情報（パスワード等）を入力する操作である。
【００５６】
Ｓ４０２では、リモコン端末３は、当該ユーザのログイン要求を操作対象のカラオケ装置２に送信する。このログイン要求には、入力されたユーザ名及びログイン認証用の情報が含まれる。次のＳ４０４では、リモコン端末３は、カラオケ装置２からログインの認証結果を受信し、ログインユーザをメモリに登録する。そして、Ｓ４０６では、リモコン端末３は、ログインが認証されたユーザをアクティブユーザに設定する。また、そのアクティブユーザを操作ユーザとして登録するための登録通知を、カラオケ装置２に送信する。なお、アクティブユーザとは、１台のリモコン端末３を複数のユーザが共有して使用する際に、現時点で操作の権限を持つユーザとしてリモコン端末３が認識しているユーザを差す。すなわち、リモコン端末３がアクティブユーザを設定している場合、ユーザからリモコン端末３に行われる操作指示は、アクティブユーザに対応付けられて処理される。また、リモコン端末３においてアクティブユーザとして設定されたログインユーザは、カラオケ装置２に対し、リモコン端末３を操作中の操作ユーザとして通知される。
【００５７】
一方、Ｓ４００において、リモコン端末３を操作中のユーザから、カラオケ曲の再生予約をするための所定の予約操作を受付けた場合（Ｓ４００：予約操作）、リモコン端末３は、Ｓ４０８に進む。Ｓ４０８では、リモコン端末３は、当該予約操作を行っているユーザがログイン中のユーザであるか、ログインしていないゲストユーザであるかによって処理を分岐する。予約操作がログインユーザによるものである場合（Ｓ４０８：ログイン）、リモコン端末３はＳ４１０に進む。Ｓ４１０では、リモコン端末３は、アクティブユーザに設定されているログインユーザを予約ユーザにして、当該予約操作に関する予約情報をカラオケ装置２に送信する。予約情報には、ユーザが選んだ予約曲の曲番号及び予約ユーザの名称等の情報が含まれる。つぎのＳ４１２では、リモコン端末３は、アクティブユーザの設定を解除し、該当のログインユーザを操作ユーザから解除するための解除通知を、カラオケ装置２に送信する。一方、予約操作がゲストユーザによるものである場合（Ｓ４０８：ゲスト）、リモコン端末３はＳ４１４に進む。Ｓ４１４では、リモコン端末３は、ゲストユーザを予約ユーザにして、当該予約操作に関する予約情報をカラオケ装置２に送信する。
【００５８】
また、Ｓ４００において、アクティブユーザを切替える所定の指示がなされた場合（Ｓ４００：ユーザ切替え）、リモコン端末３は、Ｓ４１６に進む。Ｓ４１６では、リモコン端末３は、アクティブユーザの設定を現在のユーザから次のユーザに切替える。また、切替え後のアクティブユーザを操作ユーザとして登録するための登録通知を、カラオケ装置２に送信する。また、Ｓ４００において、アクティブユーザから上記以外のその他の操作を受付けた場合（Ｓ４００：その他操作）、リモコン端末３は、Ｓ４１８に進む。Ｓ４１８では、リモコン端末３は、現在のアクティブユーザを操作ユーザとして登録するための登録通知を、カラオケ装置２に送信する。つづいて、Ｓ４２０では、リモコン端末３は、入力された操作に応じた所定の処理を実行する。また、Ｓ４００において、一定時間ユーザから何も操作が行われなかった場合（Ｓ４００：タイムアウト）、リモコン端末３は、Ｓ４２２に進む。Ｓ４２２では、リモコン端末３は、操作ユーザを解除するための解除通知を、カラオケ装置２に送信する。
【００５９】
次のＳ４２４では、リモコン端末３の電源がオフにされたか否かを判定する。電源がオフにされていない場合（Ｓ４２４：ＮＯ）、リモコン端末３はＳ４００に戻る。一方、電源がオフにされた場合（Ｓ４２４：ＹＥＳ）、リモコン端末３は本処理を終了する。
【００６０】
［動作例１：歌唱中のユーザ及び操作中のユーザがいる場合］
上記実施形態のカラオケシステムの動作例について、ユーザによるサービスの利用形態の一例を想定して説明する。
【００６１】
（前提）センタサーバ４には、図２に示す内容の広告コンテンツと属性情報との紐付情報が登録されている。広告表示装置１は、センタサーバ４から広告表示順リストと、広告コンテンツのデータと、広告コンテンツと属性情報との紐付情報とを取得する。広告表示装置１は、広告表示順リストで示される再生順（例えば、広告１、広告２、広告３、広告４の順）に従って広告コンテンツの再生映像を表示する。
【００６２】
ここで、ユーザＡ、Ｂ、Ｃ、Ｄ、Ｅ、ゲストの６人がカラオケルームに在室し、カラオケ装置２を利用してグループでカラオケをする状況を想定する。今、ユーザＡ，Ｂ，Ｃ，Ｄの４人が既にリモコン端末３を用いて、システムへのログインと自身が歌唱する曲の予約とを済ませており、ユーザＥがリモコン端末３を操作してログインをするところである。なお、ゲストのユーザは、ログインをせずにカラオケサービスを利用し、既に自身が歌唱する曲の予約を済ませているものとする。このとき、カラオケ装置２には、図７（ａ）に示す内容の予約曲リストが記憶されている。この予約曲リストの再生フラグで示されるとおり、現在、カラオケ装置２はユーザＢの予約した曲「ＷＷＷ」を再生中である。このときに、以下の手順が実行される。
【００６３】
（１）ユーザＥがリモコン端末３を操作してシステムにログインする。
（２）カラオケ装置２は、センタサーバ４からログインしたユーザＥの属性情報（年齢、性別）を取得し、ユーザリストにユーザＥの情報を追加する。
【００６４】
（３）ユーザＥは、自身が歌唱する曲を予約するためにリモコン端末３を操作する。このとき、リモコン端末３は、ユーザＥを操作ユーザとしてカラオケ装置２に通知する。
（４）カラオケ装置２は、ユーザリストにおけるユーザＥの情報に操作ユーザフラグを記録する。この時点でのユーザリストは、図７（ｂ）に示すとおりである。このユーザリストには、ログイン済みのユーザＡ〜Ｅまでの５人のユーザ名と、それぞれの年齢及び性別等の属性情報が記録されている。また、現時点で予約操作中であるユーザＥには、操作ユーザフラグが記録されている。
【００６５】
（５）広告表示装置１は、広告コンテンツの表示が１つ完了する度に、カラオケ装置２から予約曲リストとユーザリストを取得する。今回取得するのは、図７（ａ），（ｂ）で示す内容の予約曲リストとユーザリストである。
【００６６】
（６）予約曲リストにおいて再生中フラグが付された曲の予約ユーザ（すなわち現在歌唱中のユーザ）であるユーザＢと、ユーザリストにおいて操作ユーザフラグが付された予約操作中のユーザＥは、忙しくて広告コンテンツの映像に注目しないと考えられる。そこで、広告表示装置１は、ユーザリストに記録されたユーザの中から、ユーザＢ，Ｅを除外したユーザＡ（２１歳、女性），Ｃ（６１歳、男性），Ｄ（４４歳、男性）のそれぞれの属性情報に適合する広告コンテンツを抽出する。図２で示す内容の広告コンテンツと属性情報との紐付情報によれば、ここで抽出される広告コンテンツは、広告１（２０代、女性）、広告４（５０〜６０代、男性）である。
【００６７】
（７）広告表示装置１は、抽出された広告１，４のうち、最も優先度の高い広告コンテンツを先に表示する。ただし表示済みとして記録されている広告コンテンツは除外する。ここでは、現在再生中の曲の次の再生順の曲の予約ユーザであるユーザＣの属性情報に適合する「広告４」を最優先で表示する。次に歌唱する順が回ってくるユーザは、席を立たずに待っている確率が高いため、そのユーザに合った広告コンテンツを優先的に表示することで、高い広告効果を期待できる。
【００６８】
［動作例２：曲予約完了後］
上記動作例１で説明した状況から引き続いて、さらに、予約操作中であったユーザＥによる曲の予約が完了したときの動作例について、図８を参照しながら説明する。このときに、以下の手順が実行される。
【００６９】
（１）ユーザＥによる予約操作が完了すると、その予約曲の曲番号と予約ユーザとしてのユーザＥの識別情報とが、リモコン端末３からカラオケ装置２に送信される。このとき、ユーザＥの操作ユーザフラグを解除するための解除通知が、リモコン端末３からカラオケ装置２に送信される。
【００７０】
（２）カラオケ装置２は、リモコン端末３から送信された予約情報に基づいて、予約曲と予約ユーザ（ユーザＥ）の情報を予約曲リストに追加する。更新後の予約曲リストの内容を図８（ａ）に示す。図８（ａ）で示す予約曲リストでは、最後尾の予約順である５番目の欄にユーザＥによる予約曲に関する情報が新たに追加されている。また、カラオケ装置２は、ユーザリストにおいて、予約操作が完了したユーザＥの操作ユーザフラグをクリアする。更新後のユーザリストの内容を図８（ｂ）に示す。図８（ｂ）で示すユーザリストでは、従前までユーザＥに対して付加されていた操作ユーザフラグが消去されている。
【００７１】
（３）広告表示装置１は、広告コンテンツの表示が１つ完了する度に、カラオケ装置２から予約曲リストとユーザリストを取得する。今回取得するのは、図８（ａ），（ｂ）で示す内容の予約曲リストとユーザリストである。
【００７２】
（４）広告表示装置１は、ユーザリストに記録されたユーザの中から、現在再生中の曲の予約ユーザ（ユーザＢ）、及び、操作中ユーザ（該当なし）を除外したユーザＡ，Ｃ，Ｄ，Ｅのそれぞれの属性情報に適合する広告コンテンツを抽出する。図２で示す内容の広告コンテンツと属性情報との紐付情報によれば、ここで抽出される広告コンテンツは、広告１、広告３、広告４である。今回は、ユーザＥが操作ユーザではなくなったので、ユーザＥの属性情報（１５歳、男性）に適合する広告３（１０代、男性）が、新たに表示候補として抽出されることになった。
【００７３】
（５）広告表示装置１は、抽出された広告１，３，４のうち、最も優先度の高い広告コンテンツを先に表示する。ただし表示済みとして記録されている広告コンテンツは除外する。ここでは、動作例１の過程において広告４が表示済みであると仮定する。その場合、現在再生中の曲の直前に再生済みの曲の予約ユーザであるユーザＡの属性情報に適合する「広告１」を優先広告として先に表示する。歌唱を終えたばかりのユーザは、そのまま在席している確率が高いため、そのユーザに合った広告コンテンツを優先的に表示することで、高い広告効果を期待できる。
【００７４】
［動作例３：歌唱終了後］
上記動作例２で説明した状況から引き続いて、さらに、ユーザＢが歌唱していた曲の再生が終了したときの動作例について、図９を参照しながら説明する。このときに、以下の手順が実行される。
【００７５】
（１）カラオケ装置２において、予約曲リストにおける予約順２番の曲「ＷＷＷ」（予約者はユーザＢ）の再生が終了すると、次の予約順３番である曲「ＸＸＸ」（予約者はユーザＣ）に再生が移る。このとき、カラオケ装置２は、予約曲リストにおける再生中フラグを、予約順２番の曲「ＷＷＷ」から予約順３番の曲「ＸＸＸ」に移す。更新後の予約曲リストの内容を図９（ａ）に示す。図９（ａ）で示す予約曲リストでは、従前まで予約順２番の曲「ＷＷＷ」に付加されていた再生中フラグが消去され、新たに予約順３番の曲「ＸＸＸ」に再生中フラグが付加されている。
【００７６】
（２）広告表示装置１は、広告コンテンツの表示が１つ完了する度に、カラオケ装置２から予約曲リストとユーザリストを取得する。今回取得するのは、図９（ａ），図８（ｂ）で示す内容の予約曲リストとユーザリストである。
【００７７】
（３）広告表示装置１は、ユーザリストに記録されたユーザの中から、現在再生中の曲の予約ユーザ（ユーザＣ）、及び、操作中ユーザ（該当なし）を除外したユーザＡ，Ｂ，Ｄ，Ｅのそれぞれの属性情報に適合する広告コンテンツを抽出する。図２で示す内容の広告コンテンツと属性情報との紐付情報によれば、ここで抽出される広告コンテンツは、広告１、広告２，広告３である。今回は、ユーザＢの歌唱が終了したので、ユーザＢ（４２歳、女性）の属性情報に適合する広告２（４０代、女性）が、表示候補として新たに抽出されることになった。一方、歌唱中になったユーザＣの属性情報に適合する広告４は、今回表示候補から除外されることになった。
【００７８】
（４）広告表示装置１は、抽出された広告１，２，３のうち、最も優先度の高い広告コンテンツを先に表示する。ただし表示済みとして記録されている広告コンテンツは除外する。ここでは、動作例１，２の過程で広告４、広告１が表示済みであると仮定する。また、現在再生中の曲の次の再生順の曲「ＹＹＹ」の予約ユーザは、ログインをしていないゲストユーザであるため、このユーザに適合する広告コンテンツは選出されない。そこで、直前に歌唱を終えたばかりのユーザＢの属性情報に適合する「広告２」を優先広告として先に表示する。歌唱を終えたばかりのユーザＢに合った広告を優先的に表示することで、高い広告効果を期待できる。
【００７９】
［効果］
上記実施形態の広告表示装置１によれば、以下の効果を奏する。
カラオケサービスを利用中のログインユーザの中で、歌唱や機器の操作をしていないユーザの属性情報に適合した広告コンテンツの映像を、サブディスプレイ１５に表示させることができる。このようにすることで、暇を持つユーザが、自身に合う広告コンテンツの映像を関心を持って閲覧する機会が増加し、高い広告効果を得られる。
【００８０】
歌唱や機器の操作を行っていないユーザの中から、特に、次に歌唱する順番が回ってくるユーザや、直前に歌唱を終えたばかりのユーザの属性情報に適合する広告コンテンツを優先的に表示することができる。このようにすることで、在席している確率の高いユーザに合った広告コンテンツを表示することができ、高い広告効果を期待できる。
【００８１】
通常は、広告再生順リストで規定された表示順に従って広告コンテンツを順次表示することで、広告コンテンツを表示できる機会を無駄なく活用できる。それに加え、暇を持つユーザに適合する広告コンテンツを表示できるタイミングには、優先広告を随時割込で表示させることで、広告効果が一層高まる。
【００８２】
また、優先広告を規定の表示順に割込ませて表示させる場合、その優先広告は、従前に表示させていた広告コンテンツの表示が完了した後に表示されるようになっている。このようにすることで、割込み表示の際に従前に表示されていた広告コンテンツが中断されることがなく、好適である。
【００８３】
［変形例］
上記実施形態のカラオケシステムにおいては、広告コンテンツの表示を行う広告表示装置１と、カラオケサービスを提供するカラオケ装置２とが、それぞれ別体として構成された事例について説明した。この他にも、本発明は、上記実施形態の広告表示装置１としての機能と、カラオケ装置２としての機能とを併せ持つ、一体の装置として実施することもできる。
【００８４】
また、本発明は、パソコン等の情報処理装置にインストールされるプログラムの形態でも実施可能である。このようなプログラムは、情報処理装置によってネットワーク経由でダウンロードされるようにしてもよい。また、プログラムを記憶したＣＤ−ＲＯＭ等の可搬型記憶媒体から読取られて、情報処理装置にインストールされるようにしてもよい。
【００８５】
［特許請求の範囲に記載の構成との対応］
実施形態に記載の構成と、特許請求の範囲に記載の構成との対応は次のとおりである。
広告表示装置１の制御部１０が、ユーザ特定手段、歌唱者特定手段、操作者特定手段、決定手段、及び、表示制御手段に相当する。また、制御部１０及びＬＡＮインタフェース部１２が、リスト取得手段に相当する。
【符号の説明】
【００８６】
１…広告表示装置、１０…制御部、１１…記憶部、１２…ＬＡＮインタフェース部、１３…ビデオＲＡＭ、１４…映像制御部、１５…サブディスプレイ、２…カラオケ装置、２１…メインディスプレイ、３…リモコン端末３…センタサーバ、ＢＲ…ブロードバンドルータ、ＡＰ…無線ＬＡＮアクセスポイント。
【図１】
0005900162.tif 000002
【図２】
0005900162.tif 000003
【図７】
0005900162.tif 000004
【図８】
0005900162.tif 000005
【図９】
0005900162.tif 000006
【図３】
0005900162.tif 000007
【図４】
0005900162.tif 000008
【図５】
0005900162.tif 000009
【図６】
0005900162.tif 000010